(57)【特許請求の範囲】
【請求項１】
肌面と接触して電流を供給する肌刺激体（３）と、肌面に光を照射する光源（２６）が設けてある美容器具であって、
肌刺激体（３）に開口した窓開口（３５）と光源（２６）の間に、光源（２６）から照射された光を窓開口（３５）の外へ導く導光体（２７）が配置されており、
窓開口（３５）を介して肌刺激体（３）の内部と外部を連通する肌刺激体（３）と導光体（２７）の間の隙間が、肌刺激体（３）と導光体（２７）の間に配置した第１シール体（５２）で水密状に封止してあり、
導光体（２７）の窓開口（３５）側の端部に、窓開口（３５）の内面に入り込む照射部（４６）が突設されて、その突端に光源（２６）から照射された光を肌面へ向かって照射する照射面（４８）が設けられており、
照射部（４６）の突出基端の周囲に、リング状の第１シール体（５２）を挟持するシール座（５１）が形成されており、
シール座（５１）と肌刺激体（３）の内面で挟持した第１シール体（５２）を、照射部（４６）の周面で受止めて、第１シール体（５２）のずれ移動を規制していることを特徴とする美容器具。
【請求項２】
照射面（４８）が窓開口（３５）の厚み範囲内に位置させてある請求項１に記載の美容器具。
【請求項３】
照射面（４８）の周縁と肌刺激体（３）の刺激面（３ａ）が面一になる状態で、導光体（２７）が固定してある請求項２に記載の美容器具。
【請求項４】
本体ケース（１）に肌刺激体（３）を支持するヘッドケース（１６）が突設されて、ヘッドケース（１６）の突端に肌刺激体（３）が配置されており、
肌刺激体（３）と導光体（２７）の間に配置した第１シール体（５２）が、本体ケース（１）に固定した導光体（２７）で肌刺激体（３）に押付けられて、肌刺激体（３）と導光体（２７）の間の隙間を封止している請求項１から３のいずれかひとつに記載の美容器具。
【請求項５】
肌刺激体（３）が、ヘッドケース（１６）の突端に設けた前開口（１９）から突出されて、肌刺激体（３）に設けた装着壁（３４）と前開口（１９）の内面の段部（２０）の間に第２シール体（３６）が配置されており、
導光体（２７）を本体ケース（１）に固定した状態において、肌刺激体（３）の装着壁（３４）および第２シール体（３６）が段部（２０）に向かって押付け固定される請求項４に記載の美容器具。
【発明の詳細な説明】
【技術分野】
【０００１】
本発明は、肌面に電流を供給して美容効果を向上するための美容器具に関する。
【背景技術】
【０００２】
この種の美容器具は、例えば本出願人の提案に係る特許文献１の美容器具に公知である。この美容器具では、本体ケースの前後面の上部に温熱ヘッドと冷熱ヘッドが設けられており、温熱ヘッドによるイオン導入モード、イオン導出モード、極性が異なるパルス電流を供給しながら美容処理を行う第３運転モード、および冷熱ヘッドを使用する第４運転モードの計４つのモードで美容処理を行うことが可能となっている。
【０００３】
この種の美容器具において、導電性材料で形成したヘッド部の中央にアクリル樹脂製の窓板を設け、窓板の内面にＬＥＤを配置することは、特許文献２に開示されている。この特許文献２の美容装置では、化粧水や精製水を含浸した綿マットをヘッドに装着して、電流を肌面に供給しながらイオン導入モードやイオン導出モードで美容処理を行う。また、パッティングモードにおいては、美容用液が含浸された綿マットをヘッドに装着し、プラス電流を肌面に供給して、プラスイオンに帯電した成分を皮膚に浸透させ、同時にＬＥＤで可視光を肌面に照射して真皮層の繊維芽細胞を活性化する。
【先行技術文献】
【特許文献】
【０００４】
【特許文献１】特開２０１５−９７９２３号公報（段落００２０、図３）
【特許文献２】実用新案登録第３０９９１４０号公報（段落００２０、図２）
【発明の概要】
【発明が解決しようとする課題】
【０００５】
上述のように、特許文献２の美容器具では、パッティングモード時に、美容用液が含浸された綿マットをヘッドに装着し、プラス電流を肌面に供給しながら美容用液を皮膚に浸透させ、同時にＬＥＤで可視光を肌面に照射して真皮層の繊維芽細胞を活性化する。しかし、綿マットをヘッドに装着した状態でＬＥＤから可視光を照射しても、可視光が綿マットで遮られるため肌面に到達しにくい。一方、綿マットをヘッドから外した状態で可視光を照射すると、肌面に光刺激を付与できるが、ＬＥＤで発光した未調整の可視光をアクリル樹脂製の窓板から直接照射するだけであるため、肌面における可視光の照度にむらが生じやすい。詳しくは、ＬＥＤと正対する窓板の中央部分の照度は高いが、窓板の周縁部の照度が低くなることが避けられず、照度が高い部分の光が目に入って不快感を与えてしまうことがある。また、化粧水や精製水が含浸された綿マットをヘッド部に装着して使用するとき、ヘッド部の窓開口と窓板の隙間から化粧水や精製水が窓内部に浸入して、短絡事故や作動不良を生じるおそれもある。
【０００６】
本発明の目的は、美容用液が肌ヘッドの内部に浸入するのを確実に防止でき、従って美容用液の浸入に伴う短絡などの事故を一掃できる美容器具を提供することにある。
本発明の目的は、肌面に電流を供給し、さらに光を照射して美容効果を向上できる美容器具を提供することにある。
本発明の目的は、肌面へ向かって照射される光の照度を、照射面の全面にわたって均一化して、照度が高い部分の光が照射されるのを解消して不快感を与えることのない美容器具を提供することにある。
【課題を解決するための手段】
【０００７】
本発明は、肌面と接触して電流を供給する肌刺激体３と、肌面に光を照射する光源２６が設けられた美容器具を対象とする。肌刺激体３に開口した窓開口３５と光源２６の間に、光源２６から照射された光を窓開口３５の外へ導く導光体２７を配置する。そして、図１に示すように、窓開口３５を介して肌刺激体３の内部と外部を連通する肌刺激体３と導光体２７の間の隙間が、肌刺激体３と導光体２７の間に配置した第１シール体５２で水密状に封止してあることを特徴とする。
【０００８】
導光体２７の窓開口３５側の端部に、窓開口３５の内面に入り込む照射部４６を突設し、その突端に光源２６から照射された光を肌面へ向かって照射する照射面４８を設ける。照射部４６の突出基端の周囲に、リング状の第１シール体５２を挟持するシール座５１を形成する。シール座５１と肌刺激体３の内面で挟持した第１シール体５２を、照射部４６の周面で受止めて、第１シール体５２のずれ移動を規制する。
【０００９】
図１０に示すように、照射面４８は窓開口３５の厚み範囲内に位置させる。
【００１０】
図６に示すように、照射面４８の周縁と肌刺激体３の刺激面３ａが面一になる状態で導光体２７を固定する。
【００１１】
本体ケース１に肌刺激体３を支持するヘッドケース１６を突設して、ヘッドケース１６の突端に肌刺激体３を配置する。肌刺激体３と導光体２７の間に配置した第１シール体５２は、本体ケース１に固定した導光体２７で肌刺激体３に押付けられて、肌刺激体３と導光体２７の間の隙間を封止している（図１参照）。
【００１２】
肌刺激体３は、ヘッドケース１６の突端に設けた前開口１９から突出されている。肌刺激体３に設けた装着壁３４と前開口１９の内面の段部２０の間に第２シール体３６を配置する。導光体２７を本体ケース１に固定した状態においては、肌刺激体３の装着壁３４および第２シール体３６が段部２０に向かって押付け固定されている。
【００１３】
ヘッドケース１６の内面内方に配置した光源２６は、窓開口３５と光調整空間Ｓを介して正対されている。光源２６と窓開口３５の間の光調整空間Ｓに導光体２７を配置する。
【００１４】
図６に示すように照射面４８は、肌刺激体３の内面へ向かって凹む内凹み湾曲面で形成する。
【００１５】
内凹み状の照射面４８に、少なくともひとつの凸部４９と、少なくともひとつの凹部５０を形成する。
【００１６】
図１１に示すように、照射面４８に設けた凸部４９をリング状に形成し、凸部４９のリング内面に凹部５０を形成する。
【００１７】
導光体２７は、光拡散作用を備えたフィラー６５を含むプラスチック成形品で形成する。
【００１８】
導光体２７の内部に、光源２６から照射された光を拡散させる拡散空間５５を形成する（図４参照）。
【００１９】
ヘッドケース１６の少なくとも一部に、透光可能な照射光視認部２１を設ける。導光体２７の中途部に、導光体２７で導かれた光の一部を導光体２７の周囲へ向かって照射する光照射手段５８を設ける。光照射手段５８から照射された光は、照射光視認部２１を介してヘッドケース１６の外から視認できる。
【００２０】
導光体２７を導電性樹脂で形成する。肌刺激体３は肌面に電流を供給する肌電極を兼ねており、肌刺激体３および導光体２７に電流を供給して美容処理を行う。
【００２１】
図１に示すように、光照射手段５８を、光源２６から照射された光を拡散させる拡散空間５５と、同空間５５に連通して、拡散空間５５で拡散した光を導光体２７の周囲へ向かって照射させる照射窓５９・６０で構成する。
【００２２】
光照射手段５８を、導光体２７の周面に凹み形成した照射凹部６８で構成する（図１４参照）。
【００２３】
図１３に示すように光照射手段５８は、導光体２７の周面に凹み形成した照射凹部６８と、照射凹部６８の入光面７０側に設けられて、導光体２７で導かれた光を導光体２７の周囲へ向かって照射する照射リブ６９で構成する。
【００２４】
ヘッドケース１６は、同ケース１６の内部に設けたヘッド支持体１５に固定する。導光体２７はヘッド支持体１５の内部に配置されて、導光体２７の周囲がヘッド支持体１５の筒壁で囲まれている。ヘッド支持体１５の筒壁を含む支持体内面に、光照射手段５８から照射された光を反射する反射層６１を形成する（図４参照）。
【００２５】
ヘッドケース１６の少なくとも一部に透光材で形成した照射光視認部２１を設ける。照射光視認部２１は、光照射手段５８から照射される照射光の光路と交差する状態で配置する。
【００２６】
ヘッドケース１６の突端周縁に設けたキャップ装着部１７に、綿マットＭを固定する保持キャップ６４を着脱可能に装着する。
【００２７】
導光体２７の周囲に臨む肌刺激体３の内面に、肌刺激体３を加熱するヒーター３１を配置する。
【００２８】
図１９に示すように、導光体２７の内奥に光源２６と、肌面の状態を撮影するカメラ８１を配置する。本体ケース１の内部に、カメラ８１の撮影画像に基づき肌面の異常を検知する肌異常検知部８８と、肌異常検知部８８が肌面の異常を検知した状態において音、光、振動の少なくともひとつを発生する報知体８９を設ける。
【００２９】
光源２６は報知体８９を兼ねている。肌異常検知部８８が肌面の異常を検知した状態において、光源２６から光を照射する。
【００３０】
肌異常検知部８８が肌面の異常を検知した状態において、肌刺激体３に対する出力電流を増加する。
【発明の効果】
【００３１】
本発明に係る美容器具では、肌面と接触して電流を供給する肌刺激体３と、肌面に光を照射する光源２６を設けるようにした。また、肌刺激体３に開口した窓開口３５と光源２６の間に導光体２７を配置して、光源２６から照射された光を、導光体２７で案内して肌刺激体３の外へ照射できるようにした。こうした美容器具によれば、美容器具を使用するとき、光源２６を点灯しておくことにより、導光体２７から照射された光によって肌面を照らしながら、美容処理を行うことができる。また、肌刺激体３と導光体２７の間の隙間を、第１シール体５２で水密状に封止するので、美容用液を併用して美容処理を行う場合に、美容用液が肌刺激体３の内部に浸入するのを確実に防止して、美容用液の浸入に伴う短絡などの事故を防止でき、美容器具の安全性と信頼性を向上できる。
【００３２】
照射部４６の突出基端の周囲に設けたシール座５１と肌刺激体３の内面で第１シール体５２を挟持し、さらに第１シール体５２を照射部４６の周面で受止めると、第１シール体５２が径方向へずれ移動するのを規制できる。従って、肌ヘッド２に落下衝撃が作用するような場合でも、第１シール体５２が径方向へずれ動くことはなく、従って、常に安定した状態で封止作用を発揮して、美容用液が肌刺激体３の内部へ浸入するのをさらに確実に防止できる。
【００３３】
照射面４８を窓開口３５の厚み範囲内に位置させると、肌刺激体３を肌面に沿ってゆっくりと滑らせて美容処理を行うとき、照射面４８が肌面に対して不必要に強く押付けられるのを防止して、肌刺激体３の肌当りをソフトで優しいものとすることができる。また、照射面４８を窓開口３５の厚み範囲内に位置させることで、照射面４８を肌面の間近に位置させて、光源２６から照射された光を肌面に対して効果的に照射することができる。
【００３４】
導光体２７を固定した状態において、照射面４８の周縁と肌刺激体３の肌刺激面３ａを面一にすると、肌刺激体３を肌面に沿ってなめらかに滑らせて美容処理を行うことができる。また、照射面４８の周縁と肌刺激面３ａが面一になっているので、美容処理を行った後に照射面４８に付着している美容用液を除去するとき、美容用液が窓開口３５の内縁で受止められることがなく、従って、照射面４８に付着している美容用液を余すところなく払拭除去し、あるいは確実に水洗い洗浄することができる。
【００３５】
ヘッドケース１６の突端に肌刺激体３を配置し、肌刺激体３と導光体２７の間に配置した第１シール体５２を、本体ケース１に固定した導光体２７で肌刺激体３に押付けるようにしていると、導光体２７を本体ケース１に組むだけで第１シール体５２を弾性変形させて、肌刺激体３と導光体２７の間の隙間を封止でき、導光体２７をより少ない手間で本体ケース１に組付けることができる。
【００３６】
肌刺激体３に設けた装着壁３４と前開口１９の内面の段部２０の間に第２シール体３６を配置すると、導光体２７を本体ケース１に固定した状態において、肌刺激体３の装着壁３４および第２シール体３６を段部２０に向かって押付け固定できる。また、上記のように、導光体２７を本体ケース１に固定することで、２個のＯリング３６・５２を同時に挟持して封止姿勢に保持できるので、組立てに要する手間を省くことができる。
【００３７】
光源２６と窓開口３５の間の光調整空間Ｓに導光体２７を配置すると、光源２６から照射された光を導光体２７の内部において繰返し散乱させたのち、照射面４８から肌面に照射することができる。このように、導光体２７の内部において光を繰返し散乱させるようにすると、光源２６と正対する照射面４８の中央寄りの照度と、照射面４８の周縁の照度を均一にすることができる。従って、肌面へ向かって照射される光の照度を、照射面４８の全面にわたって均一化でき、照度が高い部分の光が照射されるのを解消してユーザーに不快感を与えることのない美容器具を提供できる。
【００３８】
照射面４８を内凹み湾曲面状に形成すると、美容用液を照射面４８の凹み面に保持した状態で美容処理を行うことができる。また、肌刺激体３を肌面に沿って滑らせながら美容処理を行う際に、照射面４８の凹み面に保持された美容用液を少しずつ塗り延ばすことができるので、何度も美容用液を肌面に塗付する手間を省いて、美容処理をより簡便に行える。
【００３９】
照射面４８に凸部４９と凹部５０とが形成されていると、照射面４８の凹み面に付着させた美容用液を凸部４９と凹部５０で協同して保持するので、美容用液が肌面に過剰に付着するのを防止して、美容用液を肌面に対して均一に塗り延ばすことができる。また、美容用液を塗り延ばす際には、常に凸部４９から肌面に光を照射して肌面を照らすことができる。さらに、美容処理を行うとき、顔肌に接触した凸部４９でさすり刺激を与えることができるので、肌刺激体３による美容効果に加えてさすり刺激による美容効果を発揮できる。
【００４０】
凸部４９をリング状に形成し、凸部４９のリング内面に凹部５０を形成すると、凹部５０に保持された美容用液が肌面に付着して塗り延ばされるのをリング状の凸部４９で制限できる。従って、美容用液を肌面に対してさらに均一に塗り延ばすことができる。また、リング状の凸部４９から肌面に向かって照射された光を視認しながら、的確に美容処理を行える。さらに、リング状の凸部４９によって顔肌にさすり刺激を与えて美容効果を向上できる利点もある。
【００４１】
導光体２７が光拡散作用を備えたフィラー６５を含むプラスチック成形品で形成されていると、導光体２７の内部における光の散乱作用をフィラー６５で促進できるので、肌面へ向かって照射される光の照度をむらのない均一なものにできる。従って、照射面４８と正対する肌面にさらに均一な光を照射でき、照度が高い部分の光が照射されるのを解消できる。
【００４２】
導光体２７の内部に拡散空間５５が形成されていると、光源２６から照射された光が、異なる媒質の境界面、つまり拡散空間５５に隣接する導光体２７の壁部分を通過する際に屈折し、さらに、光が拡散空間５５を通過する際に散乱される。そのため、光の散乱を促進して、照射面４８から肌面へ向かって照射される光の照度をさらに均一化し、照度が高い部分の光が照射されるのをさらに確実に解消できる。
【００４３】
導光体２７で導かれた光の一部を導光体２７の周囲へ向かって照射する光照射手段５８を設け、ヘッドケース１６に照射光視認部２１を設けた美容器具によれば、光照射手段５８から照射された光の一部を、照射光視認部２１を介してヘッドケース１６の外から視認できる。従って、美容器具を使用するときの肌ヘッド２の外観の印象を幻想的なものとして、デザイン性を向上できる。また、特定の色の光を肌面に照射しながら美容処理を行う場合には、照射光視認部２１における光の色を視認することで、美容処理の内容を確認できる。さらに、照射光視認部２１が光っていることを視認することで、美容器具が作動中であることを確認できるので、ユーザーの聴覚に障がいがある場合でも、美容器具の運転状態を明確に知ることができる。
【００４４】
導光体２７を導電性樹脂で形成し、肌電極を兼ねる肌刺激体３および導光体２７に電流を供給して美容処理を行うようにすると、肌刺激体３と導光体２７の両者で肌面に電流を供給できるので、肌刺激体３のみで肌面に電流を供給する場合に比べて、より広い面積の肌面に電流を供給して、美容処理を効果的に行うことができる。
【００４５】
拡散空間５５と同空間５５に連通する照射窓５９・６０で光照射手段５８を構成すると、導光体２７やヘッド支持体１５に、拡散空間５５と照射窓５９・６０を確保することで、導光体２７で導かれた光の一部を導光体２７の周囲へ向かって照射できる。従って、光を変向し、反射し、あるいは導光するための構造体で光照射手段５８を構成する場合に比べて、光照射手段５８の構造を簡素化して、導光体２７および光照射手段５８を備えた美容器具のコストを削減できる。また、拡散空間５５と照射窓５９・６０を確保すればよいので、光を導光体２７の周囲へ向かって照射する機能に関して故障や作動不良を生じる余地がなく、信頼性を向上できる利点がある。
【００４６】
導光体２７の周面に凹み形成した照射凹部６８からなる光照射手段５８によれば、光源から導光体２７に照射されて照射凹部６８に入射した光を、導光体２７の周囲へ向かって照射することができる。具体的には、照射凹部６８に入射した光を、照射光視認部２１へ照射できるので、散乱作用を利用して光を照射窓６０へ到達させる場合に比べて、より明確な光で照射光視認部２１を光らせて、美容器具が使用中であることを的確に報知できる。とくに、照射凹部６８に光反射面７１が設けてある場合には、照射凹部６８に入射した光を照射窓６０に向かって確実に反射させて、より強い光を照射光視認部２１に照射できる。
【００４７】
照射凹部６８とその入光面７０側に設けた照射リブ６９で光照射手段５８を構成すると、光源２６から導光体２７へ照射された光の一部の向きを入光面７０で反射し変向して、照射光視認部２１へ照射することができる。また、入光面７０で反射し変向された光を、照射リブ６９で照射窓６０の近傍まで導光して照射するので、光照射手段５８から照射されて照射窓６０に達するまでに散乱する光の量を減少して、照射光視認部２１をさらに明確に光らせることができる。
【００４８】
ヘッド支持体１５の筒壁を含む支持体内面に、光照射手段５８から照射された光を反射する反射層６１が形成されていると、反射層６１に達した光を照射窓６０や拡散空間５５へ反射して、照射光視認部２１における光の照度を増加できる。
【００４９】
ヘッドケース１６の少なくとも一部に透光材で形成した照射光視認部２１を設けると、ヘッドケース１６に窓を開口して照射光視認部２１とする場合に比べて、肌ヘッド２の外観をすっきりとしたものにして、美容器具のデザイン性を向上できる。また、照射光視認部２１を、光照射手段５８から照射される照射光の光路と交差する状態で配置しておくことにより、照射光視認部２１における照度を向上して、美容器具が作動中であることをユーザーに対して明確に報知できる。
【００５０】
ヘッドケース１６の突端周縁に、綿マットＭ用の保持キャップ６４を装着するためのキャップ装着部１７が設けられていると、綿マットＭを肌刺激体３に装着した状態において、照射光視認部２１が綿マットＭで覆われるのを防止できるので、綿マットＭを併用して美容処理を行う場合に光源２６を発光させておくことにより、美容器具が運転中であることを照射光視認部２１で確認できる。
【００５１】
導光体２７の周囲に臨む肌刺激体３の内面に、ヒーター３１が配置されていると、肌刺激体３をヒーター３１で加熱しながら美容処理を行うことができる。とくに、肌刺激体３や綿マットＭをヒーター３１で加熱しながらイオン導入処理を行うことにより、肌面を温熱で加熱して弛緩させながら美容溶液を肌面に浸透させることができる。また、寒冷期にイオン導入処理や、肌刺激体３を肌面に直接接触させて美容処理を行う場合であっても、ヒーター３１で肌刺激体３を加熱することにより、美容用液や肌刺激体３の冷たさを感じることなく、美容処理を快適に行うことができる。
【００５２】
導光体２７の内奥に光源２６とカメラ８１を配置し、本体ケース１の内部に肌異常検知部８８と報知体８９を設けた美容器具によれば、美容処理を行うのに併行して、肌面にシミ、くすみ、そばかすなどができていることを早い段階でユーザーに報知できる。また、美容器具で肌異常を検知するのと同時に、肌刺激体３によるイオン導入を行うことができる。
【００５３】
光源２６が報知体８９を兼ねており、肌異常検知部８８が肌面の異常を検知した状態において、光源２６から光を照射する美容器具によれば、例えば光源２６を点滅させ、あるいは光源２６の発光色を変化させることで、肌面に肌異常が発生していることを知らせることができる。また、報知専用の光源や発音手段を別途設ける必要がないので、その分だけ美容器具の製造に要するコストを低減できる。
【００５４】
肌異常検知部８８が肌面の異常を検知した状態において、肌刺激体３に対する出力電流を増加するようにした美容器具によれば、効果的に肌ケアを行うことができる。また、肌異常の発見と同時に、肌刺激体３に対する出力電流を自動的に増加できるので、ユーザーがスイッチ操作を行う手間を省くことができる。
【図面の簡単な説明】
【００５５】
【図１】本発明の実施例１に係る美容器具の要部構造を示す横断平面図である。
【図２】本発明の実施例１に係る美容器具の正面図である。
【図３】本発明の実施例１に係る美容器具の側面図である。
【図４】本発明の実施例１に係る美容器具の肌ヘッドの横断平面図である。
【図５】実施例１に係る肌ヘッドの分解断面図である。
【図６】実施例１に係る導光体の照射部の詳細構造を示す断面図である。
【図７】図４におけるＡ−Ａ線断面図である。
【図８】実施例１に係る制御基板と電装品の関係を示すブロック図である。
【図９】実施例１に係る美容器具の各運転モード時の作動機器を示す図表である。
【図１０】実施例２に係る導光体の横断平面図である。
【図１１】実施例３に係る照射面の一部破断斜視図である。
【図１２】実施例４に係る照射面の一部破断斜視図である。
【図１３】実施例５に係る肌ヘッドの横断平面図である。
【図１４】実施例６に係る光照射手段を示す断面図である。
【図１５】実施例７に係る光照射手段を示す断面図である。
【図１６】実施例８に係る肌ヘッドの横断平面図である。
【図１７】実施例８に係る美容器具の照射面を示す正面図である。
【図１８】実施例９に係る美容器具の照射面を示す正面図である。
【図１９】実施例１０に係る肌ヘッドの横断平面図である。
【発明を実施するための形態】
【００５６】
（実施例１）  図１ないし図９は、本発明に係る美容器具の実施例１を示している。なお、本発明における前後、左右、上下とは、図２および図３に示す交差矢印と、各矢印の近傍に表記した前後、左右、上下の表示に従う。
【００５７】
図２および図３において美容器具は、グリップを兼ねる縦長の本体ケース１と、本体ケース１の前面上部に突設される肌ヘッド２を備えており、肌ヘッド２の前端に肌刺激体３（肌電極）を備える。本体ケース１は、前後に分割形成された前ケース１ａと後ケース１ｂとで中空ケース状に構成されている。後ケース１ｂの後面上部には、電源投入用のスイッチボタン４と、運転モードを切換えるためのスイッチボタン５と、電流強度を切換えるスイッチボタン（図示していない）を備えたスイッチパネル６が設けられている。スイッチパネル６と正対する本体ケース１の内部には制御基板７が設けられており、その下方に電池８が配置されている。制御基板にはスイッチボタン４・５でオン・オフ操作されるスイッチ４ａ・５ａと、美容器具の運転状態を表示するＬＥＤ９と、後述するヒーター３１や光源２６の作動を制御し、あるいは肌刺激体３に供給される電流を調整する制御回路などが実装されている。本体ケース１の左右両側にはグリップ電極１０が固定されており、グリップ電極１０は、図３に略記した電極リード５４を介して制御基板７に接続されている。図３において符号１１はスライド開閉される電池蓋である。
【００５８】
図４および図５に示すように、前ケース１ａの上部前面には、肌ヘッド２を装着するための円形の装着座１４と、丸筒状のヘッド支持体１５が一体に設けられており、装着座１４に肌刺激体３を支持するためのヘッドケース１６が装着されている。ヘッドケース１６は乳白色の半透明のプラスチック成型品からなり、丸筒状の筒部の前端周面にキャップ装着部１７が周回状に膨出されている。また、筒部の後端に先の装着座１４に嵌込まれる連結筒壁１８が形成されている。ヘッドケース１６の前端には肌刺激体３を装着するための前開口１９が形成されており、前開口１９の内端に連続して肌刺激体３を受け止める段部２０が形成されている。
【００５９】
ヘッドケース１６の筒壁の前後方向の中途部は、光源２６から照射された光の一部を視認するための照射光視認部２１になっている。ヘッドケース１６と前ケース１ａと、後述する導光体２７は、前ケース１ａの内面から連結筒壁１８にねじ込んだ４個のビス２２で一体化されている。この装着状態において、装着座１４に連続する外周囲壁と連結筒壁１８との間の隙間がＯリング２３で封止してある。図２、図３において符号６４は綿マットＭを保持するリング状の保持キャップであり、保持キャップ６４は先のキャップ装着部１７に圧嵌合されて、肌刺激体３の外面に装着した綿マットＭを固定保持する。
【００６０】
上記のように、ヘッドケース１６を半透明のプラスチック成型品で構成し、その周面の一部に照射光視認部２１を設けると、ヘッドケース１６に窓を開口して照射光視認部２１とする場合に比べて、肌ヘッド２の外観をすっきりとしたものにして、美容器具のデザイン性を向上できる。また、照射光視認部２１を、光照射手段５８から照射される照射光の光路と交差する状態で配置することにより、照射光視認部２１における照度を向上して、美容器具が作動中であることをユーザーに対して明確に報知できる。
【００６１】
ヘッドケース１６の内部には、ヒーターホルダー２５と、光源２６と、光源２６で発光した光を肌刺激体３の外面へ導く導光体２７が設けられており、ヘッドケース１６の前端の前開口１９に、肌刺激体３が前開口１９から前方へ突出する状態で装着されている。ヒーターホルダー２５は円盤状に形成されて、その後面に４個のボス２８が設けられており、ヘッド支持体１５の前端壁に挿通したビス２９を先のボス２８にねじ込むことにより、ヒーターホルダー２５がヘッド支持体１５と一体化されている。ヒーターホルダー２５の前面には、シリコーンゴム製の弾性リング３０が設けられており、このリング３０でリング状のヒーター３１を肌刺激体３に押し付けている。ヒーターホルダー２５と肌刺激体３の間には、プラス極性あるいはマイナス極性の電流を供給するばね３２が配置されている。このばね３２は、図３に略記した電極リード５３を介して制御基板７に接続されている。
【００６２】
光源２６は、光の三原色を個別に発光する赤色ＬＥＤ２６Ｒと、緑色ＬＥＤ２６Ｇと、青色ＬＥＤ２６Ｂの３個の砲弾形ＬＥＤを備えた、いわゆる三原色型の白色ＬＥＤからなる。３個のＬＥＤを同時に発光させると、自然光に近い可視光を照射することができ、３個のＬＥＤを個別に発光させると、赤色光と、緑色光と、青色光を照射することができる。また、赤色ＬＥＤ２６Ｒと緑色ＬＥＤ２６Ｇを同時に発光させると、黄色の光を照射することができ、赤色ＬＥＤ２６Ｒと青色ＬＥＤを同時に発光させると、紫色の光を照射することができる。各ＬＥＤ２６Ｒ・２６Ｇ・２６Ｂに供給される電流値を調整すると、電流値に比例して各光の強度（照度）を大きくすることができる。
【００６３】
肌刺激体３は、チタン板材を素材とする丸キャップ状のプレス成形品からなり、内側開口縁の周囲にフランジ状の装着壁３４が張出し形成されている。肌刺激体３の前面の刺激面３ａの中央には、導光体２７を露出させるための円形の窓開口３５が形成されている。図４に示すように、ヘッドケース１６の連結筒壁１８をビス２２で装着座１４に締結した状態では、装着壁３４に装着したＯリング（第２シール体）３６が、装着壁３４とヘッドケース１６の段部２０に挟持されて弾性変形し、前開口１９と肌刺激体３の周囲壁の間の隙間を封止している。
【００６４】
図１に示すように光源２６と肌刺激体３の窓開口３５は、光調整空間Ｓを介して正対しており、この光調整空間Ｓに導光体２７を配置している。導光体２７は、光源２６のホルダーを兼ねる前段導光体３８と、前段導光体３８と肌刺激体３の間に配置される後段導光体３９で構成されている。前段導光体３８は透光可能なプラスチック材で形成されており、フランジ状のベース部４０と、同ベース部４０の前面に設けられて先の各ＬＥＤ２６Ｒ・２６Ｇ・２６Ｂを装着するための光源ホルダー部４１と、同ホルダー部４１の前側に設けられて後段導光体３９を支持する支持筒部４２を一体に備えている。光源ホルダー部４１の後面には、各ＬＥＤ２６Ｒ・２６Ｇ・２６Ｂの発光部を受入れる装着凹部（装着部）４３が凹み形成されている。ベース部４０は、先に説明したヘッドケース１６の連結筒壁１８と共にビス２２で装着座１４の座壁に締結固定されている。
【００６５】
後段導光体３９は光拡散作用を備えたフィラー６５（図６参照）を含む透光可能なプラスチック材で形成されており、円盤状の導光部４５と、導光部４５の前面に突設した照射部４６と、導光部４５の後面に突設した丸筒状の連結筒部４７を一体に備えている。フィラー６５としては、後段導光体３９の屈折率と異なる屈折率の素材であればよく、結晶シリカ、水酸化アルミニウム、石英ガラスの微粒子、金属微粒子、微小気泡などを適用できるが、高度の光拡散作用を発揮できる石英ガラスの微粒子が好ましい。照射部４６の前面には照射面４８が形成されており、照射面４８には７個の凸部４９が形成されている。上記のように、光拡散作用を備えたフィラー６５を含むプラスチック成形品で後段導光体３９を形成すると、後段導光体３９の内部における光の散乱作用をフィラー６５で促進して、肌面へ向かって照射される光の照度をむらのない均一なものにできる。従って、照射面４８から照射される光をより均一化して、照度の高い光がユーザーの目に入って不快感を与えるのを解消できる。
【００６６】
図６に示すように、照射面４８は、肌刺激体３の内面へ向かって内凹み湾曲状に凹ませてあり、その周縁前端に平坦面４８ａが形成されている。凸部４９は部分球面状に形成されて、隣接する凸部４９の間が凹部５０になっている。このように、凸部４９を設けることにより、肌刺激体３の刺激面３ａを顔肌に沿ってゆっくりと滑らせて美容処理を行うとき、凸部４９が顔肌に接触してさすり刺激を与えて美容効果を向上できる。また、凸部４９と凹部５０で乳液などの粘度の高い美容用液を照射面４８に保持した状態で美容処理を行うことができるので、美容用液が不必要に肌面に塗付されるのを防止できる。
【００６７】
照射部４６の基端と導光部４５の周囲前端との間に、窓開口３５よりひとまわり大きなシール座５１が段落ち状に形成されており、照射部４６の周囲に装着したＯリング（第１シール体）５２が肌刺激体３の内面とシール座５１の間に挟持されている。Ｏリング５２を設けることにより、肌刺激体３と導光体２７の間の隙間を水密状に封止できる。この状態のＯリング５２の内面は照射部４６の周面で受止められているので、落下衝撃を受けるような場合でもＯリング５２が径方向へずれ動くことはなく、従って、常に安定した状態で封止作用を発揮できる。
【００６８】
後段導光体３９は、その連結筒部４７が前段導光体３８の支持筒部４２の内面に係合連結された状態で、前段導光体３８と共に装着座１４の座壁に締結固定されている。この状態のヘッドケース１６と前段導光体３８のベース部４０は、装着座１４の座壁を間にして締結されており、後段導光体３９に装着したＯリング５２は、肌刺激体３とシール座５１に挟まれて弾性変形している。同様に、装着壁３４に装着したＯリング３６は、ヘッドケース１６の段部２０と装着壁３４に挟まれて弾性変形している。つまり、ヘッドケース１６と前段導光体３８を装着座１４に締結することにより、２個のＯリング３６・５２を同時に弾性変形させて、対応する隙間を水密状に封止することができる。
【００６９】
上記のように、連結筒部４７を支持筒部４２に連結することにより、光源ホルダー部４１の前面と導光部４５の後面の間に空間が形成される。この空間は、光源ホルダー部４１から放出された光を拡散させるための拡散空間５５として機能しており、拡散後の光は照射部４６の後面や、連結筒部４７の内面および後端面から後段導光体３９に入射して照射面４８へと案内される。光源２６から照射された光は、異なる媒質の境界面、つまり拡散空間５５に隣接する前段導光体３８の前端壁、および後段導光体３９の後端壁を通過する際に屈折し、さらに、光が拡散空間５５を通過する際に散乱される。そのため、光の散乱を促進して、照射面４８の中央寄りの照度と、照射面４８の周縁の照度を均一にすることができる。従って、肌面へ向かって照射される光の照度を、照射面４８の全面にわたって均一化して、照射面４８と正対する肌面に均一な光刺激を作用させながら効果的に美容処理を行うことができる。また、照度の高い光がユーザーの目に入って不快感を与えるのを解消できる。
【００７０】
図６に示すように、導光体２７と肌刺激体３を一体化した状態における照射面４８の周縁の平坦面４８ａと肌刺激体３の肌刺激面３ａは面一になっているので、肌刺激体３を肌面に沿ってなめらかに滑らせながら美容処理を行うことができる。また、美容用液を照射面４８に保持した状態で美容処理を行う場合に、照射面４８に残った美容用液を余すところなく除去し、洗浄しやすくすることができる。上記のように、照射面４８の基本形状が内凹み湾曲状に形成してある場合には、凸部４９は省略することができ、その場合は照射面４８の周縁の平坦面が凸部４９として機能する。
【００７１】
美容器具を使用するとき、導光体２７で導かれる光の一部を、導光体２７の周囲へ向かって照射するために、前段導光体３８と、その周囲を覆うヘッド支持体１５の筒壁に光照射手段５８を設けている。この実施例では、先の拡散空間５５と、前段導光体３８の支持筒部４２の中途部の周囲４個所に設けた内照射窓（照射窓）５９と、内照射窓５９に対応してヘッド支持体１５の筒壁に形成した４個の外照射窓（照射窓）６０で光照射手段５８を構成した。また、ヘッドケース１６の一部に照射光視認部２１を設けて、外照射窓６０に到達した光を照射光視認部２１において視認できるようにした。導光体２７の周囲へ向かって照射された光を的確に視認するために、照射光視認部２１は光照射手段５８から照射された照射光の光路と交差する状態（外照射窓６０と正対する状態）で配置した。
【００７２】
図７に示すように内照射窓５９は、先に説明した拡散空間５５と連通しており、拡散空間５５に照射された光の一部を内照射窓５９の外へ照射できる。また、内照射窓５９の外へ照射された光は、外照射窓６０を介して照射光視認部２１の外面から視認できる。このように、拡散空間５５と同空間５５に連通する照射窓５９・６０で光照射手段５８を構成すると、導光体２７やヘッド支持体１５に、拡散空間５５と照射窓５９・６０を確保することで、導光体２７で導かれた光の一部を導光体２７の周囲へ向かって照射できる。
【００７３】
従って、光を変向し、反射し、あるいは導光するための構造体で光照射手段５８を構成する場合に比べて、光照射手段５８の構造を簡素化して、導光体２７および光照射手段５８を備えた美容器具のコストを削減できる。また、拡散空間５５と照射窓５９・６０を確保すればよいので、光を導光体２７の周囲へ向かって照射する機能に関して故障や作動不良を生じる余地がなく、信頼性を向上できる利点がある。さらに、光源２６から照射された光の一部を照射光視認部２１で視認可能とすることにより、美容器具を使用するときの肌ヘッド２の外観の印象を幻想的なものとして、デザイン性を向上できる。また、視認された光の色を確認することにより、３個のＬＥＤ２６Ｒ・２６Ｇ・２６Ｂのどれが発光しているかを確認することができるので、ユーザーの聴覚に障がいがある場合でも、美容器具の運転状態を明確に知ることができる。
【００７４】
内照射窓５９の外へ照射された光を繰返し反射させて、ヘッドケース１６の外面から視認しやすくするために、ヘッド支持体１５の筒壁の内面および前端壁の後面には反射層６１が形成されている。反射層６１は金属蒸着法で形成されている。このように、ヘッド支持体１５の筒壁の内面および前端壁の後面に反射層６１を形成すると、反射層６１に達した光を照射窓６０や拡散空間５５へ反射して、照射光視認部２１における光の照度を増加できる。
【００７５】
美容器具を使用する場合には、図３に示すように綿マットＭで肌刺激体３の外面を覆い、保持キャップ６４をヘッドケース１６のキャップ装着部１７に圧嵌して綿マットＭを固定する。この状態の綿マットＭに化粧水を含浸させ、スイッチボタン４をオン操作し、さらにスイッチボタン５を操作して運転モードを選択することにより、ヒーター３１に駆動電流が供給され、パルス電流を生成する電流調整回路が作動して、使用可能な状態になるので、ユーザーはイオン導出モードやイオン導入モードなどの運転モードで美容処理を行うことができる。
【００７６】
（イオン導出モード）  イオン導出モードにおいては、グリップ電極１０を片手で握った状態で、化粧水などの美容用液が含浸された綿マットＭを顔肌に沿ってゆっくりと滑らせることにより、顔肌のしわ、ひだ、毛穴などに入り込んでいる微細な汚れを落とすことができる。このとき肌面には、図９に示すようにプラス極性のパルス電流による電流刺激と、温熱刺激が付与される。また、赤色のＬＥＤ２６Ｒと緑色のＬＥＤ２６Ｇとを点灯させて、黄色の光を肌面に照射しながら美容処理を行う。黄色の光を肌面に照射することにより、肌面を活性化して美容効果を高めることができる。ユーザーは、黄色の光が肌面に照射されていることで、美容器具がイオン導出モードで運転されていることを確認できる。
【００７７】
肌面に作用するパルス電流による刺激が弱い場合には、電流強度を切換えるスイッチボタンを操作することにより、電流量を増やして肌面に対する刺激を強くすることができる。肌刺激体３にパルス電流が供給されてから、一定時間（約３分）が経過するとパルス電流の供給が停止され、同時にヒーターの駆動が停止されて光源２６およびＬＥＤ９が消灯される。上記のようにイオン導出処理においては、肌刺激体３側をプラス極性とし、グリップ電極１０側をマイナス極性にした状態で美容処理を行う。上記のように、美容処理を行う場合には、綿マットＭを肌刺激体３に装着するが、ヘッドケース１６の突端周縁のキャップ装着部１７に保持キャップ６４を装着するので、照射光視認部２１が綿マットＭで覆われるのを防止できる。従って、綿マットＭを併用して美容処理を行う場合に光源２６が発光している限り、美容器具が運転中であることを照射光視認部２１で確認できる。また、肌刺激体３をヒーター３１で加熱しながら美容処理を行うことができるので、寒冷期にイオン導出処理を行い、あるいは肌刺激体３を肌面に直接接触させて美容処理を行う場合に、ヒーター３１で肌刺激体３を加熱して、美容用液や肌刺激体３の冷たさを感じることなく、美容処理を快適に行うことができる。さらに、肌刺激体３や綿マットＭをヒーター３１で加熱しながら美容処理を行うので、肌面を温熱で加熱して弛緩させながら化粧水を肌面に浸透させて、効果的に美容処理を行うことができる。
【００７８】
（イオン導入モード）  イオン導入モードにおいては、イオン導出モードと同様にグリップ電極１０を片手で握った状態で、化粧水などの美容用液が含浸された綿マットＭを顔肌に沿ってゆっくりと滑らせることにより、美容用液を肌面に浸透させて保湿効果を高めることができる。このとき肌面には、図９に示すようにヒーター３１による温熱刺激が付与され、肌刺激体３にはマイナス極性のパルス電流が供給され、グリップ電極１０にはプラス極性のパルス電流が供給される。また、赤色のＬＥＤ２６Ｒを点灯させて、赤色の光を肌面に照射しながら美容処理を行う。このように赤色の光を肌面に照射することにより、肌面を活性化して美容効果を高めることができる。また、ユーザーは、赤色の光が肌面に照射されていることで、美容器具がイオン導出モードで運転されていることを確認できる。肌刺激体３にパルス電流が供給されてから、一定時間（約３分）が経過するとパルス電流の供給が停止されて光源２６およびＬＥＤ９が消灯される。なお、イオン導入処理においては、綿マットＭを使用せずに、化粧水などの美容用液を顔肌に塗付した状態で、肌刺激体３を肌面に沿ってゆっくりと滑らせて美容処理を行ってもよい。イオン導入モード時には、肌刺激体３や綿マットＭをヒーター３１で加熱しながら美容処理を行うので、肌面を温熱で加熱して弛緩させながら化粧水を肌面に浸透させることができ、保湿効果を高めることができる。
【００７９】
（第３モード）  第３モードにおいては、綿マットＭは使用せずに、顔肌をシートマスクで覆った状態、あるいは乳液を照射面４８に塗付した状態で、肌刺激体３を肌面に沿ってゆっくりと滑らせて美容処理を行う。この第３モードにおいては、図９に示すようにヒーター３１による温熱刺激が付与され、さらに、肌刺激体３にプラス極性のパルス電流とマイナス極性のパルス電流を交互に供給し、さらに、赤色のＬＥＤ２６Ｒを点滅した状態で美容処理を行って肌面を整える。このように、赤色のＬＥＤ２６Ｒを点滅した状態で美容処理を行うことにより皮膚細胞を活性化して、美容効果を高めることができる。また、赤色のＬＥＤ２６Ｒが点滅していることから、美容器具が第３モードで運転されていることを確認できる。赤色のＬＥＤ２６Ｒを点灯した状態で、緑色のＬＥＤ２６Ｇを断続的に点灯して黄色の光を生成して、美容処理を行ってもよい。肌刺激体３にパルス電流が供給されてから、一定時間（約３分）が経過するとパルス電流の供給が停止されて光源２６およびＬＥＤ９が消灯される。
【００８０】
以上のように、実施例１の美容器具においては、肌面に熱刺激を与え、電流を供給し、さらに光を照射しながら美容処理を行うので、従来の美容器具に比べて、肌面を活性化して美容効果を向上できる。詳しくは、光を肌面に照射することにより肌面の皮膚細胞を活性化させて、皮膚細胞の新陳代謝を促進できる。赤色の光や黄色の光を肌面に照射して皮膚細胞を活性化することについては、生理学的なメカニズムは不明であるが、光源を備えた美容装置を開発し、実際に肌処理テストを行う過程で確認した知見に基づいており、光を併用した美容処理が将来的に普遍化するであろうことを予見させるものである（特開２０１１−４１７０６号公報）。なお、肌面に照射する光源２６としては、可視光型の光源２６以外に、近赤外線ＬＥＤを光源２６とすることができる。その場合には、上記の各運転モードにおいて、近赤外線ＬＥＤ点灯して美容処理を行うことができ、あるいは可視光型の光源２６と併用して美容処理を行うことができる。
【００８１】
ヘッドケース１６および導光体２７を本体ケース１に組付けた状態では、Ｏリング５２が弾性変形した状態でシール座５１および肌刺激体３の内面に密着し、さらにＯリング３６が弾性変形した状態で段部２０および装着壁３４に密着する。そのため、肌刺激体３の窓開口３５や周囲壁に沿って化粧水などの美容用液が浸み込んだとしても、美容用液をＯリング５２・３６でシールして、化粧水が肌刺激体３やヘッドケース１６の内部に浸入するのを阻止できる。従って、美容用液の浸入に伴うヒーター３１やばね３２の短絡などの事故を一掃でき、美容器具の安全性と信頼性を向上できる。また、肌刺激体３や装着壁３４がＯリング５２・３６を弾性変形させた状態で押圧しているので、肌刺激体３ががたつくのを防止できるうえ、肌刺激体３、およびヘッドケース１６の仕上がり寸法にばらつきがあったとしても、Ｏリング５２・３６でばらつきを吸収できる。
【００８２】
（実施例２）  図１０は照射面４８の構造を変更した実施例２を示している。そこでは、照射面４８を平坦面で形成し、実施例１と同様の凸部４９と凹部５０を設けるようにした。導光体２７を肌刺激体３に組付けた状態では、照射面４８の周縁が窓開口３５の厚み範囲内に位置して、凸部４９の頂部が肌刺激体３の刺激面３ａと面一になるようにした。このように、照射面４８を平坦面で形成すると、実施例１の導光体２７に比べて、照射面４８における凹部５０の凹み深さを一定にして、より多くの美容用液を照射面４８に保持できる。また、肌刺激体３を肌面に沿ってゆっくりと滑らせて美容処理を行うとき、照射面４８が肌面に対して不必要に強く押付けられるのを防止して、肌刺激体３の肌当りをソフトで優しいものとすることができる。さらに、照射面４８を窓開口３５の厚み範囲内に位置させることで、照射面４８を肌面の間近に位置させて、光源２６から照射された光を肌面に対して効果的に照射することができる。他は実施例１と同じであるので、同じ部材に同じ符号を付して、その説明を省略する。以下の実施例についても同じとする。
【００８３】
（実施例３）  図１１は照射面４８の構造を変更した実施例３を示している。そこでは、照射面４８に無端リング状の凸部４９を２重に形成し、各凸部４９のリング内面に無端溝状の凹部５０を形成するようにした。このように、凹部５０が無端溝状に形成してあると、照射面４８の中央と周縁寄りの凹部５０内に美容用液を保持でき、美容用液が照射面４８の一部に偏った状態で保持されるのを防止できる。
【００８４】
（実施例４）  図１２は照射面４８の構造を変更した実施例４を示している。そこでは、照射面４８を平坦面で形成し、その中央と周囲６個所に半球状の凹部５０を形成して、隣接する凹部５０の間が凸部４９として機能するようにした。この実施例においては、照射面４８を肌面に押し付けた状態において、半球状の凹部５０の周縁が肌面と接触することで顔肌にさすり刺激を与えて美容効果を向上できる。また、一部の凹部５０に限って美容用液を保持した状態で美容処理を行うことにより、美容用液が肌面に対して不必要に塗付されるのを抑止して、美容用液を均等に塗り延ばすことができる。
【００８５】
（実施例５）  図１３は導光体２７と光照射手段５８の構造を変更した実施例５を示している。そこでは、実施例１における前段導光体３８に相当する部分と、後段導光体３９の相当する部分を一体化して、導光体２７を１個のパーツで構成した。詳しくは、光源ホルダー部４１に連続して丸軸状の導光部４５を設け、その前端に照射部４６を設けて拡散空間５５を省略した。また、導光体２７の導光部４５の周面に凹み形成した照射凹部６８と、照射凹部６８の入光面７０側に設けた丸軸状の照射リブ６９で光照射手段５８を構成するようにした。
【００８６】
照射凹部６８および照射リブ６９は導光部４５の周面４か所に形成してあり、照射リブ６９の突端は平坦面になっていて外照射窓６０と正対している。照射凹部６８は、導光部４５の中心軸線に対して、光源２６へ向かって下り傾斜する状態で傾斜させてあり、光源２６から入光面７０に達した光を照射リブ６９の側へ反射できる。これにより、導光部４５で導かれた光を導光体２７の周囲へ向かって照射できる。このように、光源２６から導光体２７へ照射された光の一部の向きを入光面７０で反射し変向して、照射光視認部２１と正対する照射６０へ照射することができる。また、入光面７０で反射し変向された光を、照射リブ６９で照射窓６０の近傍まで導光して照射するので、光照射手段５８から照射されて照射窓６０に達するまでに散乱する光の量を減少して、照射光視認部２１をさらに明確に光らせることができる。
【００８７】
（実施例６）  図１４は光照射手段５８の構造を変更した実施例６を示す。そこでは、導光体２７を実施例５と同様に１個のパーツで構成し、外照射窓６０と正対する導光部４５の周面４か所に形成した照射凹部６８と、外照射窓６０で光照射手段５８とした。この光照射手段５８によれば、光源から導光体２７に照射されて照射凹部６８に入射した光を、光反射面７１で反射させて、導光体２７の周囲へ向かって照射することができる。具体的には、照射凹部６８に入射した光を、光反射面７１で反射させて照射光視認部２１と正対する照射窓６０へ照射できるので、散乱作用を利用して光を照射窓６０へ到達させる場合に比べて、より明確な光で照射光視認部２１を光らせて、美容器具が使用中であることを的確に報知できる。
【００８８】
（実施例７）  図１５は導光体２７と光照射手段５８の構造を変更した実施例７を示している。そこでは、前段導光体３８の光源ホルダー部４１の前後厚みを小さくして、光源ホルダー部４１の装着部４３に装着した各ＬＥＤ２６Ｒ・２６Ｇ・２６Ｂの発光面を、拡散空間５５に露出させた。また、支持筒部４２に相当する部分を、光源ホルダー部４１に連続する４個の筒枠４２ａで形成して、その内部の前後に透光材で形成した拡散板７３を配置した。光源２６から出た光は、前後の拡散板７３を通過するごとに拡散され、周方向に隣接する筒枠４２ａの間の内照射窓５９から、導光体２７の周囲へと照射される。後段導光体３９の連結筒部４７の前後長さは、実施例１の連結筒部４７に比べて短くした。
【００８９】
（実施例８）  図１６および図１７は導光体２７の構造を変更した実施例８を示している。そこでは、導光体２７を１個のパーツで構成し、その後端に光源ホルダー部４１を凹み形成し、光源ホルダー部４１の前側に導光部４５を設けるようにした。光源ホルダー部４１の周囲にはフランジ部７４が張出してあり、このフランジ部７４をビス７５でヘッド支持体１５の前端壁に締結固定した。また、照射部４６の前面の中央に金属製の遮光板７６を固定して、遮光板７６の周りにリング状の照射面４８を設けるようにした。照射面４８は後凹み状の凹曲面で形成して美容用液を保持できるようにした。
【００９０】
また、光源２６はＬＥＤ基板７７と、同基板７７に実装した３個のフルカラーＬＥＤ２６Ｃで構成し、フルカラーＬＥＤ２６Ｃが導光部４５の後面と正対する状態で、ＬＥＤ基板７７を光源ホルダー部４１の周囲壁に固定した。この実施例では、光源２６から照射した光を、導光体２７の周囲に照射することができないが、外照射窓６０の内側に光源２６の発光動作に同期して発光する視認専用のＬＥＤを配置しておくことにより、美容器具の使用状況に応じて視認専用のＬＥＤの発光状態を視認できる。
【００９１】
（実施例９）  図１８は、実施例８の導光体２７の一部を変更した実施例９を示している。そこでは、遮光板７６を肌刺激体３の肌刺激面３ａと一体に形成しており、遮光板７６と肌刺激面３ａは、Ｘ字状の４個の橋絡腕７８で連続させるようにした。このように、照射面４８は無端リング状に形成する必要はなく、断続的に設けてあってもよい。
【００９２】
（実施例１０）  図１９は、導光体２７の内奥に光源２６と、カメラ８１を配置した美容器具の実施例１０を示している。そこでは、ヘッド支持体１５の前端壁に、準望遠系のレンズ体（コンバージョンレンズ）８２と、カメラホルダー８３を固定し、レンズ体８２の前面を透明の保護カバー８４で覆うようにした。カメラホルダー８３の中央には、カメラ８１がレンズ体８２と正対する状態で固定してあり、その周囲に複数個の光源（ＬＥＤ）２６が設けてある。レンズ体８２は、レンズ本体８５と、レンズ本体８５を支持する支持枠部８６を一体に備えたプラスチックレンズからなり、支持枠部８６と先のカメラホルダー８３がヘッド支持体１５の前端壁にビス８７で締結してある。符号５２は実施例１のＯリング５２に相当するリング状のパッキンである。
【００９３】
カメラ８１は、美容器具を使用するとき光源２６から光を照射しながら肌面の状態を撮影することにより、しみ、くすみ等の色素斑や、そばかす等の色素沈着に代表される肌面の異常を画像として取込むことができる。カメラ８１で取込まれた画像は、制御基板７に設けた判定部（肌異常検知部）８８へ送られて、色素斑や色素沈着の有無をリアルタイムで判定する。色素斑や色素沈着等の肌面の異常が確認された場合には、スピーカ（報知体）８９を作動させて警告音を発し、ユーザーに対して肌面に異常があることを報知する。警告音を聞いたユーザーは、肌面の異常の内容と位置を特定し、しみ、くすみ、そばかす等を目立たなくするための処置を行い、あるいは薬効成分を含む美容用液を塗付する等のスキンケアを行う。
【００９４】
上記のように、実施例１０の美容器具によれば、美容処理を行うのに併行して、肌面にシミ、くすみ、そばかすなどができていることを早い段階でユーザーに報知できる。また、肌異常を検知するのと同時に、シミやくすみなどの肌異常部分に肌刺激体３によるイオン導入を行って、肌異常部分をカバーするための対処を的確に行える。
【００９５】
実施例１０では、報知体としてスピーカ８９を使用したが、音以外に発光体や振動発生装置で報知体８９を構成することができる。また、必要があれば、音、光、振動の複数の報知要素を組み合わせて報知体８９を構成することができる。光源２６が報知体８９を兼ねていてもよく、その場合には、照射光視認部２１を点滅、あるいは光源２６から照射される光の色を変化させることで、肌面に肌異常が発生していることを明確に報知できる。また、肌異常の発見と同時にイオン導入のための電流を自動的に増強して、イオン導入に伴う美容効果を向上して、肌異常を効果的に消滅させることができる。その場合には、肌異常の発見と同時に、肌刺激体３に対する出力電流を自動的に増加できるので、ユーザーがスイッチ操作を行う手間を省くことができる。なお、通常の肌ケア電流を１とする場合に、肌異常に伴う増強後の電流は１．２程度あればよい。また、光源２６から光を照射しながら美容処理を行う際に、肌刺激体３に供給される電流が０あるいは０．５であった場合には、肌異常に伴う増強後の電流は１であってもよい。光源２６は施療用の光を照射する形態であってもよく、肌異常検知部８８が肌面の異常を検知した状態において、施療用の光を照射する光源２６の発光強度を増強して、施療効果を高めるようにすることができる。
【００９６】
上記のように、肌異常検知部８８が肌面の異常を検知した状態において、光源２６の発光強度を増強すると、肌異常の発見と同時に施療用の光の強度が高まるので、施療効果を向上して、肌異常を効果的に減少させることができる。また、美容処理を行う場合の光源２６の発光強度は、カメラ８１で肌異常を画像として撮影できる程度であればよいので、施療用の光によって健康な肌面がダメージを受けることはない。
【００９７】
実施例１０の美容器具は、以下の形態で実施することができる。
肌面に電流を供給可能な肌電極３を備える美容器具であって、
肌面の異常を検知する肌異常検知部８８と、
肌異常検知部８８が肌面の異常を検知した状態において、音、光、振動の少なくともひとつを発生する報知体８９が設けてあることを特徴とする美容器具。
上記構成の美容器具によれば、肌電極３から肌面に電流を供給して美容処理を行うのに併行して、肌面にシミ、くすみ、そばかすなどができていることを肌異常検知部８８で検知し、検知と同時に報知体８９でユーザーに報知することができる。警告音を聞いたユーザーは、肌面の異常の内容と位置を特定し、しみ、くすみ、そばかす等を目立たなくするための処置を行い、あるいは薬効成分を含む美容用液を塗付する等のスキンケアを行うことができる。また、肌異常を検知するのと同時に、シミやくすみなどの肌異常部分に肌刺激体３によるイオン導入を行うようにすると、肌異常部分をカバーするための対処を的確に行える。
【００９８】
肌異常検知部８８が肌面の異常を検知した状態において、肌電極３の出力電流を増加させる上記の美容器具。
この美容器具によれば、肌異常の発見と同時にイオン導入のための電流を自動的に増強すると、イオン導入に伴う美容効果を向上して、肌異常を徐々に改善することができる。また、肌異常の発見と同時に、肌刺激体３に対する出力電流を自動的に増加できるので、ユーザーがスイッチ操作を行う手間を省くことができる。
【００９９】
導光体２７は導電性樹脂で形成することができ、その場合には、肌面に電流を供給する肌刺激体３と導光体２７に電流を供給して美容処理を行うことにより、肌刺激体３のみで肌面に電流を供給する場合に比べて、より広い面積の肌面に電流を供給して、美容処理を効果的に行うことができる。
【０１００】
実施例１では、赤色あるいは黄色の光を肌面に照射したが、その必要はなく、全てのＬＥＤ２６Ｒ・２６Ｇ・２６Ｂを点灯して、白色光（可視光）を肌面に照射しながら美容処理を行ってもよい。また、緑色のＬＲＤ２６Ｇのみ、あるいは青色のＬＥＤ２６Ｂのみを点灯して美容処理を行うことができ、要は、美容処理を効果的に行える色の光であれば、肌面に照射する光の色は何色であってもよい。肌面に照射する光源２６としては、可視光型や近赤外光型の光源以外に、皮膚治療用の特定波長の紫外光を照射する光源であってもよい。美容器具は、肌面に冷熱を与えるための第２の肌刺激体を備えていてもよい。光源２６は３個の砲弾形の単色ＬＥＤで構成する必要はなく、１個以上のチップ型の白色ＬＥＤで構成することができる。ヘッドケース１６は本体ケース１と一体に形成してあってもよい。
【符号の説明】
【０１０１】
１  本体ケース
２  肌ヘッド
３  肌刺激体（肌電極）
１０  グリップ電極
１４  装着座
１５  ヘッド支持体
１６  ヘッドケース
２５  ヒーターホルダー
２６  光源
２７  導光体
３１  ヒーター
３５  窓開口
３６  第２シール体（Ｏリング）
３８  前段導光体
３９  後段導光体
４８  照射面
５１  シール座
５２  第１シール体（Ｏリング）
【図１】
0006710544.tif 000002
【図２】
0006710544.tif 000003
【図３】
0006710544.tif 000004
【図４】
0006710544.tif 000005
【図５】
0006710544.tif 000006
【図６】
0006710544.tif 000007
【図７】
0006710544.tif 000008
【図８】
0006710544.tif 000009
【図９】
0006710544.tif 000010
【図１０】
0006710544.tif 000011
【図１１】
0006710544.tif 000012
【図１２】
0006710544.tif 000013
【図１３】
0006710544.tif 000014
【図１４】
0006710544.tif 000015
【図１５】
0006710544.tif 000016
【図１６】
0006710544.tif 000017
【図１７】
0006710544.tif 000018
【図１８】
0006710544.tif 000019
【図１９】
0006710544.tif 000020